(57)【要約】【課題】折りたたみ式作業台を提供する。【解決手段】折りたたみ式作業台は、使用されていないときに、収納のために小さく折りたためて最小限の作業空間を占める。折りたたみ式作業台は、耐久性がある作業面と、上部収納棚と、工具を掛けるための背板部材と、ロック装置と、背板部材に向って折りたたむことができ且つ作業台の背板部材に工具も確保する小さく折りたたんだ形態でロックすることができる作業テーブルと、を有する。【選択図】図３
2008542052.tif 000002
【特許請求の範囲】
【請求項１】
折りたたみ形態或いは部分的折りたたみ形態と広げ形態状との間で移動できる折りたたみ式作業台であって、
上部仕事面、下側、前側、後側、左側面及び右側面を有し、長手方向に延びる折りたたみ位置と長手方向に対してほぼ垂直な横方向に延びる広げ位置との間で移動できる、一般に平面な作業テーブルと、
作業テーブルの前側に回動自在に連結された複数の前脚と、
長手方向に延び且つ前側、後側、上側及び下側を有する一般に平面な背板部材と、背板部材が背板部材の下側から延びる一組の第１の支持支柱及び一組の第２の支持支柱を有し、一組の第１の支持支柱が背板部材の下側から長手方向に下方に延び、一組の第２の支持支柱が背板部材の下側から横方向に延び且つ作業テーブルの左側面及び右側面に回動自在に連結され、
一組の第１の支持支柱に回動自在に連結され且つ背板部材に隣接して長手方向に延びる折りたたみ位置と長手方向に一組の第１の支持支柱から下方に延びる広げ位置との間で移動できる複数の後脚と、
を含む、上記折りたたみ式作業台。
【請求項２】
テーブル上部部材は、少なくとも一つの引出しを更に含む、請求項１に記載の折りたたみ式作業台。
【請求項３】
前脚は、折りたたみ式端部分を含む、請求項１に記載の折りたたみ式作業台。
【請求項４】
前脚は、クロスブレイスによって連結される、請求項１に記載の折りたたみ式作業台。
【請求項５】
背板部材は、釘差し盤を含む、請求項１に記載の折りたたみ式作業台。
【請求項６】
後脚は、クロスブレイスによって連結される、請求項１に記載の折りたたみ式作業台。
【請求項７】
互いに回動自在に連結された第１のリンク及び第２のリンクを有する少なくとも一つの関節支柱を更に含み、第１のリンクが前脚の一つに回動自在に連結され、且つ第２のリンクが第１の支持支柱の一つに回動自在に連結される、請求項１に記載の折りたたみ式作業台。
【請求項８】
背板部材の上側に取り付けられ且つ背板部材から横方向に延びる上部収納棚を更に含む、請求項１に記載の折りたたみ式作業台。
【請求項９】
上部収納棚は、蛍光灯を含む、請求項８に記載の折りたたみ式作業台。
【請求項１０】
上部収納棚は、電気コンセントを含む、請求項８に記載の折りたたみ式作業台。
【請求項１１】
作業テーブルを折りたたみ位置にロックするためのロック装置を更に含む、請求項１に記載の折りたたみ式作業台。
【請求項１２】
ロック装置は、ロックハンドルに連結された一組の向い合ったロックピンを含み、ロックピンが内向きに引出されたロック解除位置と外向きに延びるロック位置との間で移動でき、一組の向い合ったロック支柱が背板部材に取り付けられ且つの背板部材の前側に向って横方向に延び、向い合ったロック支柱の各々がロックピンを外向きに延びるロック位置で受け入れるための穴を含む、請求項１１に記載の折りたたみ式作業台。
【請求項１３】
折りたたみ形態或いは部分的折りたたみ形態と広げ形態との間で可動する折りたたみ式作業台であって、
上部仕事面、下側、前側、後側、左側面及び右側面を有する一般に平面な作業テーブルと、作業テーブルが長手方向に延びる折りたたみ位置と長手方向に対してほぼ垂直な横方向に延びる広げ位置との間で移動でき、
テーブル部材に摺動自在に連結されてテーブル部材の前側と後側との間で摺動できる複数の前脚と、
テーブル部材の後面に回動自在に連結された複数の後脚と、
長手方向に延び且つ前側、後側、上側及び下側を有する一般に平面な背板部材と、を含み、背板部材が複数の後脚に摺動自在に連結される、上記折りたたみ式作業台。
【請求項１４】
前脚は、互いに回動自在に連結されたリンク部材のトラス組立体によって後脚に回動自在に連結される、請求項１３に記載の折りたたみ式作業台。
【請求項１５】
テーブル上部部材は、少なくとも一つの引出しを含む、請求項１３に記載の折りたたみ式作業台。
【請求項１６】
背板部材は、釘差し盤を含む、請求項１３に記載の折りたたみ式作業台。
【請求項１７】
背板部材の上側に取り付けられ且つ背板部材から横方向に延びる上部収納棚を更に含む、請求項１３に記載の折りたたみ式作業台。
【請求項１８】
上部収納棚は、蛍光灯を含む、請求項１７に記載の折りたたみ式作業台。
【請求項１９】
上部収納棚は、電気コンセントを含む、請求項１７に記載の折りたたみ式作業台。
【発明の詳細な説明】
【技術分野】
【０００１】
本発明は、作業台に関し、特に、都合がよい場所をとらない収納のための折りたたみ形態或いは部分的折りたたみ形態と、ユーザの工具に近づきやすい作業面及び作業空間にもたらす広げ形態との間で移動できる折りたたみ式作業台に関する。
【背景技術】
【０００２】
多くの住宅所有者は、家庭修繕実習及び家庭建築実習のために限られた作業場或いはガレージ空間を有する。典型的な家庭作業場の作業台は、使用中であろうとなかろうと一定の大きさの空間を占め、且つ作業台で使用するために近づきやすいための工具の収納場所を有する常設構造物である。そのような場所ふさぎの作業場或いはガレージ空間では、使用していないときに作業台及び工具をより小さな空間に収納することが望ましい。いろいろな種類のフックが近づきやすいために工具を掛けるためにしばしば設けられるが、係る工具はまた、典型的には、作業台エリアが使用されていないときに盗難に安全ではなく、且つ作業台エリアが使用されていないときに盗難に対して係る工具の作業台収集を確保する方法を提供することが望ましい。
【発明の開示】
【発明が解決しようとする課題】
【０００３】
簡単に、且つ概括的に言うと、本発明は、使用されていないときに、例えば、折りたたみ形態で収納箱の中に、或いは部分的折りたたみ形態で壁に寄り掛けて収納のために小さく折りたためる折りたたみ式作業台を提供する。折りたたみ式作業台は、最小限の作業空間を占め、ガレージ或いは地下の作業場エリアを他の目的のためにも同様に利用させる。作業台は、作業面を有する耐久性の作業テーブルと、上部収納棚と、工具を掛けるための背板部材と、ロック（施錠）装置とを有する。作業テーブルは、背板部材に向って折りたたむことができ且つ背板部材に配置された工具を折りたたんだ作業台内に確保する小さく折りたたんだ形態でロック（施錠）することができる。
【課題を解決するための手段】
【０００４】
従って、本発明は、折りたたみ形態或いは部分的折りたたみ形態と広げ形態との間で移動できる折りたたみ式作業台を提供する。一つの現在好適な実施形態では、折りたたみ式作業台は、上部作業面を有する一般に平面な作業テーブルを含み、作業テーブルが折りたたみ形態で長手方向に延びる折りたたみ位置と広げ形態で長手方向に対してほぼ垂直な横方向に延びる広げ位置との間で移動動できる。作業テーブルは、典型的には、例えば、合板作業面のような、耐久性がある上部作業面を有し、また、任意には、作業テーブルの下側に取り付けられた一つ以上の引出しを含んでもよい。
【０００５】
複数の前脚は、折りたたみ形態或いは部分的折りたたみ形態で作業テーブルの下側に小さく折りたためるように作業テーブルの前側に回動自在に連結される。折りたたみ式作業台は、典型的には、一組の前脚を有し、前脚は、任意には、折りたたみ式端部分を含むのがよく、且つ任意には、クロスブレイスによって互いに連結されるのがよい。
【０００６】
折りたたみ式作業台は、折りたたみ形態及び広げ形態で長手方向に延びる一般に平面な背板部材を含み、背板部材の下側に取り付けられた一組の第１の支持支柱及び一組の第２の支持支柱を含む。一組の第１の支持支柱は、背板部材の下側から長手方向に下方に延びる。一組の第２の支持支柱は、背板部材の下側から横方向に延び且つ作業テーブルの左側及び右側に回動自在に連結される。現在好適な実施形態では、背板部材は、工具を保持するための釘差し盤であり、典型的には、スチール製釘差し盤である。
【０００７】
複数の後脚、典型的には、一組の後脚は、一組の第１の支持支柱に回動自在に連結され、且つ背板部材に隣接して長手方向に延びる上向きに折りたたみ位置と折りたたみ式作業台を支持するために長手方向に一組の第１の支持支柱から下方に延びる下方広げ位置との間で移動できる。折りたたみ式作業台は、作業テーブル及び前脚を折りたたみ位置にして折りたたみ式作業台を支持するために後脚が広げられた部分的折りたたみ形態を呈することができ、その結果、折りたたみ式作業台を、壁に寄り掛かる立て掛け位置に部分に折りたたみ形態で収納することができ、使用のためにすぐに広げることができる。後脚は、任意には、入れ子式（スライド調整できる）端部分を含んでもよいし、任意には、クロスブレイスによって連結されてもよい。
【０００８】
現在好適な形態では、折りたたみ式作業台は、互いに回動自在に連結された第１のリンク及び第２のリンクを有する一つ以上の関節支柱を含む。折りたたみ式作業台は、典型的には、一組の関節支柱を含む。各々の関節支柱について、第１のリンクは、前脚に回動自在に連結され、且つ第２のリンクは、第１の支持支柱の一つに連結される。関節支柱は、広げ形態で横方向に延び、且つ折りたたみ形態で長手方向に延びる。
【０００９】
折りたたみ式作業台は、好ましくは、背板部材の上側に取り付けられ且つ背板部材から横方向に延びる上部収納棚を含むのがよい。上部収納棚は、任意には、上部収納棚の下側に取り付けられた蛍光灯を含んでもよいし、且つ任意には、上部収納棚の下側に電気コンセントを含んでもよい。
【００１０】
別の現在好適な形態では、折りたたみ式作業台は、作業テーブルを折りたたみ位置にロックするためのロック装置を含む。ロック装置は、典型的には、ロックハンドルに連結された一組の向い合ったロックピンを含む。ロックハンドルを廻すことによって、ロックピンは、内向きに引出されたロック解除位置と外向きに延びるロック位置との間で移動することができる。一組のロック支柱は、背板部材の向い合った側に取り付けられ且つ折りたたみ式作業台の前側に向って横方向に延び、向い合ったロック支柱の各々は、ロックピンが外向きに延びるロック位置にあるときにロックピンを受け入れるための穴を含む。このような方法で、背板部材の工具は、折りたたみ式作業台の内側にロックされるのがよい。
【００１１】
別の現在好適な実施形態では、本発明は、折りたたみ形態或いは部分的折りたたみ形態と広げ形態との間で移動できる折りたたみ式作業台であって、折りたたみ位置と広げ位置との間で移動できる一般に平面な作業テーブルと、テーブル部材に摺動自在に連結されて該テーブル部材の前側と後側との間で摺動可能である複数の前脚と、台部材の後側に回動自在に連結された複数の後脚と、複数の後脚に摺動自在に連結された一般に平面な背板部材と、を含む折りたたみ式作業台を提供する。現在好適な形態では、前脚は、互いに回動自在に連結されたリンク部材のトラス組立体によって後脚に回動自在に連結される。テーブル上部部材は、一つ以上の引出しを含んでもよいし、且つ上部収納棚は、典型的には、背板部材の上側に取り付けられる。
【００１２】
本発明のその他の特徴及び利点は、一例として、本発明の動作を示す、添付図面と関連して好適な実施形態の以下の詳細な説明からさらに明らかになる。
【発明を実施するための最良の形態】
【００１３】
説明の目的のために及び一例として提供される図を参照すると、本発明は、折りたたみ形態或いは部分折りたたみ形態と、広げ形態との間で移動できる折りたたみ式作業台を提供する。図１ないし図６に示されるように、第１の現在好適な実施形態では、本発明は、折りたたみ形態３２或いは部分的折りたたみ形態３３と広げた形態３４との間で可動する作業台３０を提供する。折りたたみ式作業台は、使用していないときに、図１、図２及び図６に示すように完全に折りたたみ形態で例えば収納箱３５に収納のために、或いは図８及び図１２に示すように、部分的折りたたみ形態で、壁に立てかけるために小さく折りたたまれる。折りたたみ式作業台は、耐久性がある、一般に平面の作業テーブル３６を含み、作業テーブル３６は、上部作業面３８と、下側４０と、前側４２、後側４４と、左側面４６と、側面４８と、を含む。作業テーブル（３６）は、折りたたみ式作業台の折りたたみ形態か部分的折りたたみ形態のいずれかで、長手方向Ｌに延びる折りたたみ位置５０と、広げ形態で長手方向に対して実質的に垂直な横方向Ｔに延びる広げ位置５２との間で移動できる。耐久性作業テーブルには、現在、典型的には、合板作業面が形成されるが、作業テーブルは、木、耐久性プラスチック、金属、或いは同様な適当な材料で形成されてもよい。図７ないし図１０、図１２、図１３、及び図１５ないし図１８に示すように、作業テーブルは、任意には、作業テーブルの下側に取り付けられた一つ以上の引出し５４を含み、典型的には、一組の引出しを含む。
【００１４】
複数の前脚５６は、作業テーブルの前側に回動自在に連結される。現在の好適な形態では、折りたたみ式作業台は、一組の前脚を含み、この前脚は、折りたたみ形態で作業テーブルの下側に小さく折りたたむことができる。前脚は、任意には、図１ないし図６、図７ないし図１０、図１２、図１３、及び図１５ないし図１７に示すように、折りたたみ式端部分５８を含んでもよいし、任意には、長さ調整可能なスライド式上部分及び下部分を含んでもよいし、且つ任意には、図１ないし図６に示すようなクロスブレイス６４によって互いに連結されてもよい。
【００１５】
折りたたみ式作業台は、長手方向に延びる一般に平面な背板部材６６を含み、背板部材６６は、前側６８と、後側７０と、上側７２と、下側７４と、を含む。背板部材６６は、一組の第１の支持支柱７６と、背板部材６６の下側に取り付けられた一組の第２の支持支柱７８とを含み、一組の第１の支持支柱７６は、背板部材６６の下側から長手方向に下向きに延び、一組の第２の支持支柱７８は、背板部材６６の下側から横方向に延び且つ作業テーブルの左側面及び右側面に回動自在に連結される。現在の好適な形態では、背板部材６６は、工具７９の配置ためのエリアを提供し、且つ典型的には、工具を掛けるための複数の穴８０を有する釘差し盤で形成される。現行では、背板部材は、典型的には、スチール製釘差し盤で形成されるが、しかし、背板部材は、例えば、木製釘差し盤、或いは例えばフック或いはポストを有する盤のような別の材料、或いは背板部材に工具の配置を可能にする同様なデバイス、で形成されてもよい。
【００１６】
また、折りたたみ式作業台は、好ましくは、一組の第１の支持支柱に回動自在に連結され、且つ背板部材に隣接して長手方向に延びる後方折りたたみ位置８４と長手方向に一組の第１の支持支柱から下方向に延びる広げ位置８６との間で移動できる複数の後脚８２を含む。図８及び図１２を参照すると、折りたたみ式作業台は、後脚及び前脚をそれらの折りたたみ位置にして折りたたみ式作業台を支持するために広げられた部分的折りたたみ形態を呈することができ、その結果、折りたたみ式作業台を壁に寄り掛かる立て掛け位置に部分的折りたたみ形態で収納することができ、使用のためにすぐに広げることができる。後脚は、任意には、図３ないし図５、図８ないし図１０、図１２、図１３及び図１５ないし図１７に示すようにクロスブレイス８８によって連結されるのがよいし、且つ図８ないし図１０、図１２、図１３及び図１５ないし図１７に示すように長さ調整可能なスライド式上部分９０及び下部分９２を含むのがよい。
【００１７】
また、現在好適な形態では、折りたたみ式作業台は、各々が回動点１００で互いに回動自在に連結された第１のリンク９６及び第２のリンク９８を有する１つ又はそれ以上の関節支柱９４も含む。第１のリンクは、前脚の一つに回動自在に連結され、且つ第２のリンクは、第１の支持支柱の一つに連結される。好適な形態では、一組の関節支柱は、折りたたみ式作業台の向い合った右側面及び左側面に備えられ、且つ関節支柱は、作業テーブルが広げ位置にあるときに、横方向に延び、作業テーブルが折りたたみ位置にあるときに、長手方向に延びる。
【００１８】
別の現在好適な形態では、折りたたみ式作業台は、背板部材の上側に取り付けられ且つ背板部材から横方向に前側まで延びる上部収納棚１０２を含む。上部収納棚１０２は、図１１に示すように、上部収納棚１０２の下側１０５に取り付けられた蛍光灯１０４と、電気のコンセント１０６とを含んでもよい。
【００１９】
別の現在好適な形態では、折りたたみ式作業台は、作業テーブルを広げ位置にロックするための、図１９に示すロックとキー機構１１０を有する、作業テーブルの下側に取り付けられたロック装置１０８を含む。ロック装置１０８は、典型的には、回転可能なロックハンドル１１４に連結された一組の向い合ったロックピン１１２を含む。ロックピンは、ロックハンドルを廻すことによって内方向に引出されたロック解除位置と外方向に延びるロック位置との間で移動できる。一組の向い合ったロック支柱１１６が、背板部材の左側面及び右側面に取り付けられ且つ折りたたみ式作業台の前側に向って横方向に延びる。向い合ったロック支柱の各々は、ロックピンをそれらの外方に延びるロック位置で受け入れるための穴１２０を有する前方端１１８を含む。このようにして、背板部材上の工具を折りたたみ式作業台の内側にロックする。
【００２０】
図２１ないし図２９に示すように、第２の現在好適な形態では、本発明は、折りたたみ形態１３２或いは部分的折りたたみ形態１３３と広げ形態１３４との間で移動できる折りたたみ式作業台１３０を提供する。折りたたみ式作業台は、図２１に示すように、収納のために、或いは使用しないときに図２４に示すように、部分的広げ形態で壁に収納するために小さく折りたためる。折りたたみ式作業台は、耐久性がある、一般に平面な作業テーブル１３６を含み、作業テーブル１３６は、上部作業面１３８と、下側１４０と、前側１４２、後側１４４と、左側面１４６と及び右側面１４８と、を含む。作業テーブル１３６は、折りたたみ式作業台の折りたたみ形態或いは部分的折りたたみ形態のいずれかで、長手方向Ｌに延びる折りたたみ位置１５０と、広げ形態の長手方向に対して実質的に垂直な横方向Ｔに延びる広げ位置１５２との間で移動できる。耐久性の作業テーブル１３６には、現在、典型的には、合板作業面が形成されるが、作業テーブルは、木、耐久性プラスチック、金属、或いは同様な適当な材料で形成されてもよい。図２２、２３、２５、２６、２７及び２８に示すように、作業テーブル１３６は、任意には、作業テーブル１３６の下側に取り付けられた一つ以上の引出し１５４を含み、典型的には、一組の引出しを含む。
【００２１】
複数の前脚１５６が、テーブル部材の前側と後側との間で摺動できるように作業テーブルの裏側に摺動自在に連結される。現在好適な形態では、折りたたみ式作業台は、折りたたみ形態で作業テーブルの下側に小さく折りたたまれる一組の前脚を含む。複数の後脚１５８は、テーブル部材の後側に回動自在に連結され、且つ前脚は、好ましくは、互いに回動自在に連結されたリンク部材１６２のトラス組立体１６０によって後脚に回動自在に連結される。
【００２２】
折りたたみ式作業台は、長手方向に延びる一般に平面な背板部材１６６を含み、背板部材１６６は、前側１６８と、後側１７０と、上側１７２と、下側１７４と、を含む。背板部材１６６は、好ましくは、後脚に摺動可能に連結され、且つ好ましくは、例えば、戻り止めによって、広げ形態でロックできる。現在好適な態様では、背板部材１６６は、工具の配置のためのエリアを提供し、且つ典型的には、工具を掛けるための複数の穴１８０を有する釘差し盤で形成される。現在、背板部材１６６は、典型的には、スチール製釘差し盤で形成されるが、背板部材１６６は、木製釘差し盤のような別の材料、或いは、例えばフック又はポストを有する盤、或いは背板部材にツールの配置を可能にするための同様な装置で形成されてもよい。
【００２３】
図２４を参照すると、折りたたみ式作業台は、作業テーブル及び前脚を折りたたみ位置にして折りたたみ式作業台を支持するために後脚が広げられた、部分的折りたたみ形態を呈することができ、その結果、折りたたみ式作業台を、壁に寄り掛かる立て掛け位置に部分的折りたたみ形態で収納することができ、使用のためにすぐに広げることができる。
【００２４】
別の現在好適な形態では、折りたたみ式作業台は、背板部材の上側に取り付けられ且つ背板部材から横方向に前側まで延びる上部収納棚１８２を含む。上部収納棚１８２は、図２９に示すように、上部収納棚１８２の下側１８５に取り付けられた蛍光灯１８４と、電気のコンセント１８６とを含んでもよい。
【００２５】
本発明の特定の形態を図示し且つ記述したが、本発明の精神及び範囲から逸脱することなく種々の変更を行うことができることは、上記から明らかであろう。従って、本発明は、特許請求の範囲による以外は、限定されない。
【図面の簡単な説明】
【００２６】
【図１】本発明による、収納箱から取り出されている、折りたたみ形態での折りたたみ式作業台の第１の好適な実施形態の斜視図である。
【図２】折りたたみ形態での図１の折りたたみ式作業台の斜視図である。
【図３】折りたたみ形態から折りたたみ式作業台を広げるところを示す図１の折りたたみ式作業台の斜視図である。
【図４】広げ形態での図１の折りたたみ式作業台の斜視図である。
【図５】折りたたみ形態から折りたたみ式作業台を広げるところを示す図１の折りたたみ式作業台の斜視図である。
【図６】本発明による、収納箱に入れる準備のととのった折りたたみ形態の図１の折りたたみ式作業台の斜視図である。
【図７】同じ構成要素が同じ参照番号で示される、折りたたみ形態での図１の折りたたみ式作業台の変形例の底面斜視図である。
【図８】工具を背板部材に配置した、広げ位置での後脚と、折りたたみ位置での作業テーブル及び前脚と、を有する部分的折りたたみ形態で示す、図７の折りたたみ式作業台の斜視図である。
【図９】工具を背板部材に配置した、部分的折りたたみ形態から折りたたみ式作業台を広げるところを示す図７の折りたたみ式作業台の斜視図である。
【図１０】工具を広げ形態での背板部材に配置した、図７の折りたたみ式作業台の斜視図である。
【図１１】図７の折りたたみ式作業台の蛍光灯及び電気コンセントの斜視図である。
【図１２】部分的折りたたみ形態での図７の折りたたみ式作業台の正面図である。
【図１３】広げ形態での図７の折りたたみ式作業台の斜視図である。
【図１４】図７の折りたたみ式作業台の上部収納棚の斜視図である。
【図１５】部分的折りたたみ形態から折りたたみ式作業台の広げところを示す図７の折りたたみ式作業台の右側関節支柱の拡大図である。
【図１６】工具を広げ形態での背板部材に配置した、図７の折りたたみ式作業台の斜視図である。
【図１７】工具を広げ形態での背板部材に配置した、図７の折りたたみ式作業台の正面図である。
【図１８】工具を広げ形態での背板部材に配置した、図７の折りたたみ式作業台の背板部材の拡大正面図である。
【図１９】図７の折りたたみ式作業台のロック装置の拡大図である。
【図２０】図７の折りたたみ式作業台のロック装置のロックピン及びロック支柱の拡大図である。
【図２１】本発明による、折りたたみ形態での折りたたみ式作業台の第２の好適な実施形態の斜視図である。
【図２２】広げ形態での図２１の折りたたみ式作業台の斜視図である。
【図２３】釘差し盤を広げて壁に収納した、広げ形態での図２１の折りたたみ式作業台の斜視図である。
【図２４】釘差し盤を広げた、部分的折りたたみ形態での図２１の折りたたみ式作業台の斜視図である。
【図２５】釘差し盤を広げて壁に立て掛けた、広げ形態での図２１の折りたたみ式作業台の別の斜視図である。
【図２６】前脚が展開されていない部分的広げ形態での図２１の折りたたみ式作業台の斜視図である。
【図２７】前脚の展開を示す、部分的広げ形態での図２１の折りたたみ式作業台の斜視図である。
【図２８】引出しを開いて示す、広げ形態での図２１の折りたたみ式作業台の斜視図である。
【図２９】図２１の折りたたみ式作業台の上部棚の拡大斜視図である。
【符号の説明】
【００２７】
３０  作業台
３６  作業テーブル
３８  上部作業面
４０  下側
４２  前側
４４  後側
４６  左側面
４８  右側面
５６  前脚
５８  折りたたみ式端部分
６４  クロスブレイス
６６  背板部材
７６  第１の支持支柱
７８  第２の支持支柱
８０  穴
８２  後脚
８８  クロスブレイス
９４  関節支柱
９６  第１のリンク
９８  第２のリンク
１００  回動点
１０２  上部収納棚
【図１】
2008542052.tif 000003
【図２】
2008542052.tif 000004
【図３】
2008542052.tif 000005
【図４】
2008542052.tif 000006
【図５】
2008542052.tif 000007
【図６】
2008542052.tif 000008
【図７】
2008542052.tif 000009
【図８】
2008542052.tif 000010
【図９】
2008542052.tif 000011
【図１０】
2008542052.tif 000012
【図１１】
2008542052.tif 000013
【図１２】
2008542052.tif 000014
【図１３】
2008542052.tif 000015
【図１４】
2008542052.tif 000016
【図１５】
2008542052.tif 000017
【図１６】
2008542052.tif 000018
【図１７】
2008542052.tif 000019
【図１８】
2008542052.tif 000020
【図１９】
2008542052.tif 000021
【図２０】
2008542052.tif 000022
【図２１】
2008542052.tif 000023
【図２２】
2008542052.tif 000024
【図２３】
2008542052.tif 000025
【図２４】
2008542052.tif 000026
【図２５】
2008542052.tif 000027
【図２６】
2008542052.tif 000028
【図２７】
2008542052.tif 000029
【図２８】
2008542052.tif 000030
【図２９】
2008542052.tif 000031
【国際調査報告】
2008542052.tif 000032